(57)【要約】【課題】  従来のパチスロ機では、照明のインパクトに欠けた。【解決手段】  腰部ガラスケース３は、上辺の前面の両側部に１個の腰部レンズガラスケース５１が取り付けられ、上辺の前面の両側部に２個の透過孔３５が形成されている。前面ドア１の腰部前面には、２個のＬＥＤ６４ａが実装されたＬＥＤ基板６４が取り付けられており、ＬＥＤ基板６４の各ＬＥＤ６４ａが前面から視認される位置に透過孔３５が形成されている。前面ドア１は、ミニリール表示窓部１３の両側に２個の透過孔８が設けられ、中央部レンズガラスケース５２により覆われる部分の背後には、図７に示すように、それぞれＬＥＤ基板９が取り付けられている。ＬＥＤ基板９には、それぞれ２個のＬＥＤ９１が実装されており、ＬＥＤ基板９の各ＬＥＤ９１が前面から視認される位置に透過孔８が形成されている。各ＬＥＤ６４ａ，９１は、所定の文字の形状に配置されている。【選択図】  図１０
2007202623.tif 000002
【特許請求の範囲】
【請求項１】
遊技に用いられる機器を収納する筐体と、
この筐体前面中央部で図柄を変動表示する図柄表示手段と、
この図柄表示手段の両脇に光源が位置する第１の照明装置と、
前記図柄表示手段の下方における前記筐体の腰部両肩に光源が位置する第２の照明装置とを備え、
前記第１の照明装置の光源および前記第２の照明装置の光源は、所定の文字の形状に配置されていることを特徴とする遊技機。
【請求項２】
前記所定の文字の形状はＸ字状であることを特徴とする請求項１に記載の遊技機。
【発明の詳細な説明】
【技術分野】
【０００１】
本発明は、照明装置を備える遊技機に関するものである。
【背景技術】
【０００２】
従来、このような遊技機としては、例えば、リールの回転を遊技者の操作に応じて停止させるスロットマシンで、いわゆるパチスロ機と称される下記の特許文献１に開示されたものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダルの払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
遊技に用いられるリールや制御基板等の機器を収納している筐体前面には、前面ドアが開閉自在に取り付けられている。この前面ドアの両端には、その上部から下部にかけて縦長に電飾表示手段が設けられている。電飾表示手段は装飾部材としてサイドレンズカバーを備えており、サイドレンズカバー背後の前面ドアにはＬＥＤ（発光ダイオード）を用いた照明装置が配置されている。照明装置は、当選役や遊技状態等に応じて駆動されてＬＥＤを発光させる。発光された光は、サイドレンズカバーに取り付けられたレンズを通して、遊技者に視認される。照明装置のＬＥＤは、そのときの遊技状態に応じて点灯制御され、各ＬＥＤの発光態様の組合せにより、様々な演出が行われる。
【特許文献１】特開２００４−２４８０４号公報（段落［００６３］〜［００７０］参照）
【発明の開示】
【発明が解決しようとする課題】
【０００４】
しかしながら、上記従来の遊技機は、前面ドアの両側に縦長の電飾表示手段を備えることによって装飾性が向上されているものの、各ＬＥＤが単に縦長に配置されているだけであるので、各ＬＥＤによる照明のインパクトに欠けた。
【課題を解決するための手段】
【０００５】
本発明はこのような課題を解決するためになされたもので、遊技に用いられる機器を収納する筐体と、この筐体前面中央部で図柄を変動表示する図柄表示手段と、この図柄表示手段の両脇に光源が位置する第１の照明装置と、図柄表示手段の下方における筐体の腰部両肩に光源が位置する第２の照明装置とを備え、第１の照明装置の光源および第２の照明装置の光源は、所定の文字の形状に配置されていることを特徴とする。
【０００６】
この構成によれば、図柄表示手段の両脇に位置する第１の照明装置の光源と、図柄表示手段の下方における筐体の腰部両肩に位置する第２の照明装置の光源とが、所定の文字の形状に配置されているので、第１の照明装置による照明と第２の照明装置による照明とを組み合わせることにより、所定の文字が浮かび上がる照明を行って遊技者に所定の文字を印象づけることができ、遊技機により行われる照明にインパクトを持たせることができる。しかも、遊技状態に応じて各照明装置による照明態様を変えることにより、遊技機により行われる照明により大きなインパクトを持たせることができる。
【０００７】
また、本発明は、所定の文字の形状がＸ字状であることを特徴とする。
【０００８】
この構成によれば、例えば、遊技機のコンセプトが「Ｘ」という文字を観念させるコンセプトであったりした場合には、第１の照明装置による照明と第２の照明装置による照明により浮かび上がる文字「Ｘ」に遊技機のコンセプトが関連づけられるので、遊技機により行われる照明により大きなインパクトを持たせることができる。
【発明の効果】
【０００９】
このような本発明によれば、上記のように、遊技機により行われる照明にインパクトを持たせることができる。
【発明を実施するための最良の形態】
【００１０】
次に、本発明を実施するための最良の形態について説明する。
【００１１】
図１は本実施形態によるパチスロ機の前面ドア１の外観を示す正面図、図２は前面ドア１の外観を示す一部分解斜視図、図３は前面の腰部ガラスケース３を取り外した状態の前面ドア１を示す正面図、図４は中央部レンズガラスケース５２を取り外した状態の前面ドア１を示す正面図、図５は腰部ガラスケース３や貯留メダル精算ボタン１６、スタートレバー１７、および停止ボタン１８ａ〜１８ｃが取り外された状態の前面ドア１を示す正面図、図６は前面ドア１の背面図、図７はミドルドア１０１が取り付けられた状態の前面ドア１を示す背面図である。なお、これら各図において、同一または相当する部分には、同一符号を付している。
【００１２】
前面ドア１は、パチスロ機の図示しない筐体の前面開口を塞ぐ扉体であり、筐体の前面の一側に片側が開閉自在に軸支される。筐体には、パチスロ機による遊技動作を制御する制御回路が構成された制御基板をはじめ、遊技に用いられる各種機器が収納されている。
【００１３】
図１に示すように、前面ドア１の中央部の上側には大型の液晶表示装置１１が設けられている。液晶表示装置１１の表示画面には３個のサブリールが表示され、各サブリール毎にシンボルがそれぞれ３個ずつ表わされる。液晶表示装置１１の下方右側には、遊技者が遊技媒体であるメダルを入れるための投入口１２が設けられている。
【００１４】
液晶表示装置１１の下方の前面ドア１中央部にはミニリール表示窓部１３が設けられている。ミニリール表示窓部１３の背後の筐体内部には回転自在に３個のミニリール７５ａ〜７５ｃがメインリールとして設けられている。各ミニリール７５ａ〜７５ｃの外周面には複数種類の図柄（以下、シンボルという）から成るシンボル列が描かれている。ミニリール表示窓部１３に形成された図示しない３個の表示窓を通して、各ミニリール７５ａ〜７５ｃの外周面に描かれたシンボルがそれぞれ３個ずつ観察される。ミニリール表示窓部１３およびミニリール７５ａ〜７５ｃは、筐体前面中央部で図柄を変動表示する図柄表示手段を構成している。ミニリール表示窓部１３の左側には、１貯留メダル投入スイッチ１４ａ、３貯留メダル投入スイッチ１４ｂ、選択ボタン１５ａ、および決定ボタン１５ｂが設けられている。貯留メダル投入スイッチ１４ａ，１４ｂは、メダルがクレジットされている際にメダル投入口１２へのメダル投入に代えて１回のゲームに１枚，３枚のメダルを賭ける際に使用される。選択ボタン１５ａは、液晶表示装置１１における表示項目の選択に用いられる。決定ボタン１５ｂは、選択ボタン１５ａで選択された液晶表示装置１１における表示項目の決定に用いられる。
【００１５】
また、ミニリール表示窓部１３の下方には、左側から、貯留メダル精算ボタン１６、スタートレバー１７、および停止ボタン１８ａ〜１８ｃが設けられている。貯留メダル精算ボタン１６は機械内部にクレジットされているメダルを精算する際に使用される。スタートレバー１７の操作により、液晶表示装置１１に表示されるサブリールおよびミニリール表示窓部１３のメインリールであるミニリール７５ａ〜７５ｃの回転が一斉に開始する。停止ボタン１８ａ〜１８ｃは、ミニリール７５ａ〜７５ｃに対応して配置されており、これらミニリール７５ａ〜７５ｃの回転が一定速度に達したとき操作が有効化され、遊技者の操作に応じてミニリール７５ａ〜７５ｃの回転を停止する。
【００１６】
上記の各スイッチ（１貯留メダル投入スイッチ１４ａ、３貯留メダル投入スイッチ１４ｂ）、各ボタン（選択ボタン１５ａ、および決定ボタン１５ｂ、貯留メダル精算ボタン１６、および停止ボタン１８ａ〜１８ｃ）、スタートレバー１７、メダル投入口１２、およびミニリール表示窓部１３は、操作を検知するスイッチや駆動回路が一体化されたユニットとして、図３に示すドアベース１ａに取り付けられ、前面ドア１を構成している。
【００１７】
また、前面ドア１の正面下部には腰部ガラスケース３が設けられており、この腰部ガラスケース３の下方にはメダル受皿１９が設けられている。メダル受皿１９はメダル払出口１９ａから払い出されるメダルを貯めるものである。また、前面ドア１の正面上部には、上部装飾ランプを覆う上部装飾ランプカバー２１が取り付けられている。上部装飾ランプカバー２１の両側方には、スピーカから出力される音が放音される放音口２２ａが形成されたスピーカカバー２２，２２が設けられている。また、前面ドア１の前面の両側部には、側部装飾ランプを覆うサイドレンズカバー２３が取り付けられている。また、図７に示すように、前面ドア１の背面にはヒンジで前面ドア１に支えられて開閉するミドルドア１０１が取り付けられている。ミドルドア１０１には、３個のミニリール７５ａ〜７５ｃが一体化されたミニリール７５ａ〜７５ｃユニット等が取り付けられている。
【００１８】
図８は腰部ガラスケース３の正面図、図９は腰部ガラスケース３の背面図、図１０は腰部ガラスケース３を後方から見た斜視図である。
【００１９】
腰部ガラスケース３は、図８に示すように、上辺の幅方向中央部が上方に湾曲した略四角枠状を有しており、背面に腰部ガラス４が取り付けられて一体化されて構成され、前面ドア１のドアベース１ａの腰部に取り付けられる。腰部ガラスケース３は、下辺の両端部にそれぞれ１個の下辺フック３１、両側辺の上端部にそれぞれ１個の側辺フック３２、上辺の中央部の両側寄りにそれぞれ１個の取付孔３３を備える。下辺フック３１は、下辺の後縁部から後方に延びており、略Ｌ字状の形状を有している。側辺フック３２は、両側辺の裏面から後方に延びており、先端部の上面には突起が設けられている。また、腰部ガラスケース３の上辺の前面の両側部には、それぞれ１個の腰部レンズガラスケース５１が取り付けられている。また、腰部ガラスケース３の上辺の前面の両側部には、それぞれ２個の透過孔３５が形成されている。各透過孔３５は、腰部レンズガラスケース５１により前側を覆われている。
【００２０】
前面ドア１のドアベース１ａの腰部下方には、図３に示すように、下辺フック３１が嵌め込まれる一対の嵌込孔６１、腰部上方には、側辺フック３２が係止する一対の係止孔６２、後述するスナップラッチ７が差し込まれる一対の差込孔６３が形成されている。また、図３および図５に示すように、前面ドア１のドアベース１ａの腰部前面には、２個のＬＥＤ６４ａが実装された一対のＬＥＤ基板６４が取り付けられており、腰部ガラスケース３には、図４に示すように、ＬＥＤ基板６４の各ＬＥＤ６４ａが前面から視認される位置に透過孔３５が形成されている。ＬＥＤ６４ａから発せられた光は透過孔３５を通して腰部レンズガラスケース５１を透過し、腰部ガラスケース３の前方から視認される。腰部レンズガラスケース５１およびＬＥＤ基板６４は、図柄表示手段の下方における筐体の腰部両肩、つまり、前面ドア１の腰部両肩に光源であるＬＥＤ６４ａが位置する第２の照明装置を構成している。
【００２１】
また、前面ドア１のミニリール表示窓部１３の両側の中央部レンズガラスケース５２により覆われるドアベース１ａの部分には、図４に示すように、それぞれ２個の透過孔８が設けられている。中央部レンズガラスケース５２により覆われるドアベース１ａの部分の背後には、図６に示すように、一対のＬＥＤ基板９が取り付けられている。ＬＥＤ基板９には、それぞれ２個のＬＥＤ９１が実装されており、ＬＥＤ基板９の各ＬＥＤ９１が前面から視認される位置に各透過孔８が形成されている。ＬＥＤ９１から発せられた光は透過孔８を通して中央部レンズガラスケース５２を透過し、前面ドア１の前方から視認される。中央部レンズガラスケース５２およびＬＥＤ基板９は、図柄表示手段の両脇に光源であるＬＥＤ９１が位置する第１の照明装置を構成している。各ＬＥＤ６４ａおよびＬＥＤ９１は、例えば、ミニリール表示窓部１３のミニリール７５ａ〜７５ｃによって表示されたシンボル組合せが、メダル払出口１９ａから払い出される組合せであるとか、遊技者に有利なボーナス遊技が行われる組合せである等の遊技状況に応じて、点灯制御される。第１の照明装置の光源である各ＬＥＤ９１および第２の照明装置の光源である各ＬＥＤ６４ａは、所定の文字の形状、本実施形態ではＸ字状に配置されている。
【００２２】
図１１は腰部ガラスケース３を前面ドア１に固定するスナップラッチ７の斜視図である。
【００２３】
スナップラッチ７は、前面ドア１の背後から差込孔６３に、その先端７１側から差し込まれ、下辺フック３１および側辺フック３２により前面ドア１に取り付けられた腰部ガラスケース３を、前面ドア１に固定する。スナップラッチ７は、先端部７１の後側に設けられた括れ部分７２に、腰部ガラスケース３の取付孔３３および前面ドア１の差込孔６３が嵌め込まれる。スナップラッチ７の後端側には窄み部分７３が設けられており、スナップラッチ７が取付孔３３および差込孔６３に嵌め込まれる際に、この窄み部分７３が把持される。
【００２４】
上述した本実施形態によるパチスロ機によれば、ミニリール表示窓部１３の両脇に位置するＬＥＤ基板９の各ＬＥＤ９１と、ミニリール表示窓部１３の下方における筐体の腰部両肩、つまり、腰部ガラスケース３の上辺両側部に位置するＬＥＤ基板６４の各ＬＥＤ６４ａとが、Ｘ字状に配置されているので、ＬＥＤ基板９および中央部レンズガラスケース５２による照明と、ＬＥＤ基板６４および腰部レンズガラスケース５１による照明とを組み合わせることにより、文字「Ｘ」が前面ドア１の前面に浮かび上がる照明を行って遊技者に文字「Ｘ」を印象づけることができ、パチスロ機により行われる照明にインパクトを持たせることができる。しかも、遊技状態に応じて各照明装置による照明態様を変えることにより、パチスロ機により行われる照明により大きなインパクトを持たせることができる。
【００２５】
また、本実施形態によるパチスロ機によれば、例えば、パチスロ機のコンセプトが「Ｘ」という文字を観念させるコンセプトであったりした場合には、ＬＥＤ基板９による照明とＬＥＤ基板６４による照明により浮かび上がる文字「Ｘ」にパチスロ機のコンセプトが関連づけられるので、パチスロ機により行われる照明により大きなインパクトを持たせることができる。
【００２６】
なお、上記実施の形態では、ＬＥＤ基板９の各ＬＥＤ９１とＬＥＤ基板６４の各ＬＥＤ６４ａとが、Ｘ字状に配置されている場合について説明したが、各ＬＥＤ６４ａおよび各ＬＥＤ９１の配置により表される文字の種類は任意であり、前面ドア１が取り付けられるパチスロ機のコンセプト等に応じて適宜変更して差し支えない。また、第１の照明装置および第２の照明装置が備える光源の種類も任意である。また、上記実施の形態では、下辺フック３１を嵌込孔６１に嵌め込み、側辺フック３２を係止孔６２に係止させ、スナップラッチ７を差込孔６３に差し込んで、腰部ガラスケース３を前面ドア１に取り付けた場合について説明したが、前面ドア１の背面からリベット等を用いて固定する構成としてもよい。
【産業上の利用可能性】
【００２７】
上記実施形態においては、本発明による遊技機をパチスロ機に適用した場合について説明したが、照明装置を備える他の遊技機に本発明を適用することも可能である。このような遊技機に本発明を適用した場合においても上記実施形態と同様な作用効果が奏される。
【図面の簡単な説明】
【００２８】
【図１】本実施形態によるパチスロ機の前面ドアの外観を示す正面図である。
【図２】図１に示す前面ドアの外観を示す一部分解斜視図である。
【図３】腰部ガラスケースを取り外した状態の図１に示す前面ドアを示す正面図である。
【図４】中央部レンズガラスケースおよび腰部レンズガラスケースを取り外した状態の図１に示す前面ドアを示す正面図である。
【図５】図５は腰部ガラスケースや貯留メダル精算ボタン、スタートレバー、および停止ボタンが取り外された状態の前面ドアを示す正面図である。
【図６】図１に示す前面ドアの背面図である。
【図７】ミドルドアが取り付けられた状態の図１に示す前面ドアを示す背面図である。
【図８】図１に示す腰部ガラスケースの正面図である。
【図９】図８に示す腰部ガラスケースの背面図である。
【図１０】図８に示す腰部ガラスケースを後方から見た斜視図である。
【図１１】腰部ガラスケースを前面ドアに固定するスナップラッチの斜視図である。
【符号の説明】
【００２９】
１…前面ドア
３…腰部ガラスケース
５１…腰部レンズガラスケース
５２…中央部レンズガラスケース
６４…ＬＥＤ基板
６４ａ…ＬＥＤ
９…ＬＥＤ基板
９１…ＬＥＤ
【図１】
2007202623.tif 000003
【図２】
2007202623.tif 000004
【図３】
2007202623.tif 000005
【図４】
2007202623.tif 000006
【図５】
2007202623.tif 000007
【図６】
2007202623.tif 000008
【図７】
2007202623.tif 000009
【図８】
2007202623.tif 000010
【図９】
2007202623.tif 000011
【図１０】
2007202623.tif 000012
【図１１】
2007202623.tif 000013